(57)【特許請求の範囲】
【請求項１】
車両に固定された固定ブラケットの側板およびコラムに固定されたチルトブラケットの側板を貫通する筒軸並びに、この筒軸内に挿通されて筒軸に対して軸方向に相対移動可能な支軸を含む軸ユニットと、
支軸の軸線の回りに回動するように操作される被回動部材と、
この被回動部材の回動に伴って、両ブラケットの側板同士を互いに押圧してチルトロックおよびテレスコロックを達成させるカム機構と、
被回動部材を支軸の軸線の回りに回動させることができ且つ筒軸と支軸を軸方向に相対移動させることができる操作部材と、
支軸に形成された縦孔を摺動自在に挿通するチルトメモリ軸と、
支軸を挿通させる横孔およびチルトメモリ軸を挿通させる縦孔を有する孔形成部材とを備え、
操作部材が筒軸と支軸を軸方向に相対移動させることに伴って、筒軸の端部に設けられた端部材によって支軸の軸方向への、孔形成部材の移動が規制された状態で、支軸の縦孔および孔形成部材の縦孔が支軸の軸方向にずれることにより、チルトメモリ軸が支軸の縦孔に固定されるようにしてあることを特徴とするメモリ機構付きチルトテレスコステアリング装置。
【請求項２】
上記チルトメモリ軸は、支軸の縦孔内の起伏部に凹凸係合することのできる起伏部を有することを特徴とする請求項１に記載のメモリ機構付きチルトテレスコステアリング装置。
【請求項３】
上記支軸を挿通させる長孔を有するテレスコメモリを備え、
テレスコメモリは、筒軸と支軸の軸方向の相対移動に伴って筒軸の上記端部材と孔形成部材との間に挟持されて軸ユニットに固定される部材を含むことを特徴とする請求項１又は２に記載のメモリ機構付きチルトテレスコステアリング装置。
【請求項４】
上記テレスコメモリは、筒軸の上記端部材および孔形成部材の一方に形成される起伏部に凹凸係合することのできる起伏部を有することを特徴とする請求項３に記載のメモリ機構付きチルトテレスコステアリング装置。
【請求項５】
上記筒軸および被回動部材の何れか一方に設けられ、支軸の軸線と直交する方向に平行な連結軸をさらに備え、
上記操作部材は連結軸の回りに回動可能であるとともに、連結軸を介して筒軸および被回動部材の何れか一方と一体回動可能であり、
上記操作部材は、連結軸の回りに回動することに伴って支軸を筒軸に対して軸方向に進退させる駆動部を含むことを特徴とする請求項３又は４に記載のメモリ機構付きチルトテレスコステアリング装置。
【請求項６】
上記支軸は、筒軸に対して軸方向に相対移動して、チルトメモリ軸およびテレスコメモリのロックに対応する第１の位置と、チルトメモリ軸およびテレスコメモリのロック解除に対応する第２の位置とに変位可能であり、
筒軸に対して支軸を第２の位置に付勢する付勢手段と、
この付勢手段に抗して、支軸が第１の位置にある状態で操作部材を連結軸の周りに回動不能に止定するロック手段とをさらに備えることを特徴とする請求項５に記載のメモリ機構付きチルトテレスコステアリング装置。
【請求項７】
上記カム機構は、上記被回動部材の回動に伴って被回動部材を支軸の軸方向に移動させることにより当該被回動部材によって一方のブラケットの側板を他方のブラケットの側板に押圧するためのねじ伝動機構を含むことを特徴とする請求項５又は６に記載のメモリ機構付きチルトテレスコステアリング装置。
【発明の詳細な説明】
【０００１】
【発明の属する技術分野】
本発明は、チルト調節およびテレスコ調節されたステアリングホイールの位置を記憶しておき、ホップアップ状態のステアリングホイールを下降させたときに、自動的に記憶された位置に復帰させることができるメモリ機構付きチルトテレスコステアリング装置に関する。
【０００２】
【従来の技術】
運転者の体格や運転姿勢等に応じてステアリングホイールの高さを変えられるようにしたチルトステアリング装置において、ステアリングホイールが乗降の妨げとならないように、レバーの操作によりステアリングホイールを最上位置まで跳ね上げて（チルトアップして）、乗降を容易にするための装置が提供されている。
【０００３】
この種の装置において、チルトアップ前にチルト調節されたステアリングホイールの高さ位置を記憶しておくメモリを設けたものがある。すなわち、ばねの弾力でステアリングホイールをチルトアップした状態で乗降した後、ステアリングホイールを下降させると、メモリされた高さ位置に自動的に復帰させることができるわけである。
例えば、ステアリングコラムをアッパチューブとロアチューブで構成し、アッパチューブの下端に固定されたチルトブラケットを、ロアチューブの上端に固定された固定ブラケットに設けられたチルト中心軸の回りに揺動可能に連結するようにした、いわゆる中折れ式のチルトステアリング装置がある。この種の中折れ式のものでは、チルトブラケットに組み付けられたポールを固定ブラケットに設けたラチェットに係合させてチルトロックを達成する。また、メモリ機構としては、チルトブラケットに組み付けられたチルトカムを、ラチェットに固着されたメモリピンにチルトブラケットの下方への揺動時に係合させるようにするものがある（例えば特開平５−１１６６３４号公報参照）。
【０００４】
【発明が解決しようとする課題】
上記公報の装置では、チルトロック及びその解除は、チルト中心軸の回りに回動自在なチルトレバーの操作により行われ、メモリ機構のメモリ位置の変更は、チルトレバーとは別個に設けられた位置決め機構によりチルトカムの回動位置を変更操作することにより行われる。このようにチルト調整とメモリ調整を別々の操作部材で行うので、構造が複雑となり、またコンパクト化の妨げともなる。
【０００５】
一方、簡易チルト式とも呼ばれるいわゆる足元折れチルト方式のチルトステアリング装置では、フリクションロック式のチルトロックを採用していてチルト角度が無段に制御されるため、所望のチルト角度でメモリロックするようなメモリ機構を設けることが非常に困難であり、実際上、そのような装置は実現化されていない。ところが、この種の簡易チルト式のチルトステアリング装置においても、メモリ機構の装着が要望されている。
【０００６】
ところで、トラック等ではチルトアップした状態でドライバが運転席に乗り降りする際に、ステアリングホイールを手で持って乗り降りするのが普通である。この場合、ステアリングホイールが最上位置でロックされていないと、ステアリングホイールがチルトダウンしてしまう。そこで、ステアリングホイールを最上位置にロックするロック機構とこれを操作するレバーを設けているが、乗り降りの前後のレバー操作が面倒であるという問題がある。
【０００７】
本発明は上記課題に鑑みてなされたものであり、本発明の目的は、いわゆる簡易チルト式において、構造が簡単で操作が容易なメモリ機構付きチルトテレスコステアリング装置を提供することである。
【０００８】
【課題を解決するための手段及び発明の効果】
上記目的を達成するための課題解決手段として、請求項１記載の発明は、車両に固定された固定ブラケットの側板およびコラムに固定されたチルトブラケットの側板を貫通する筒軸並びに、この筒軸内に挿通されて筒軸に対して軸方向に相対移動可能な支軸を含む軸ユニットと、支軸の軸線の回りに回動するように操作される被回動部材と、この被回動部材の回動に伴って、両ブラケットの側板同士を互いに押圧してチルトロックおよびテレスコロックを達成させるカム機構と、被回動部材を支軸の軸線の回りに回動させることができ且つ筒軸と支軸を軸方向に相対移動させることができる操作部材と、操作部材が筒軸と支軸を軸方向に相対移動させることに伴って、筒軸の端部に設けられた端部材によって支軸の軸方向への、孔形成部材の移動が規制された状態で、支軸の縦孔および孔形成部材の縦孔が支軸の軸方向にずれることにより、チルトメモリ軸が支軸の縦孔に固定されるようにしてあることを特徴とするものである。
【０００９】
操作部材の操作により、チルトメモリ軸およびテレスコメモリの固定を解除した状態で、チルト調整した後、チルトロックおよびテレスコロックを達成すモリ位置に固定することによりメモリ位置を記憶しておく。以降、運転者が乗降する際には、操作部材の操作で、ホップアップした後、ステアリングホイールを押し下げると、メモリ位置に復帰するので、この位置で操作部材を操作してチルトロックおよびテレスコロックを達成する。単一の操作部材の操作で簡便にチルトロックおよびテレスコロック並びにチルトメモリ軸の固定を達成できる。
また、支軸に形成された縦孔を摺動自在に挿通するチルトメモリ軸と、支軸を挿通させる横孔およびチルトメモリ軸を挿通させる縦孔を有する孔形成部材とを備えるので、筒軸と支軸を軸方向に相対移動させることにより、両軸の縦孔を貫くチルトメモリ軸を両軸に固定することができる。
【００１２】
請求項２記載の発明は、請求項１において、上記チルトメモリ軸は、支軸の縦孔内の起伏部に凹凸係合することのできる起伏部を有することを特徴とするものである。本発明では、調整後のチルトメモリ軸を摩擦係合ではなく、凹凸係合により固定するので、調整後のチルトメモリ軸の位置がずれるようなことがない。
請求項３記載の発明は、請求項１又は２において、上記テレスコメモリは、支軸を挿通させる長孔を有し、筒軸と支軸の軸方向の相対移動に伴って筒軸の上記端部材と孔形成部材との間に挟持されて軸ユニットに固定される部材からなることを特徴とするものである。本発明では、筒軸と支軸の相対移動に伴って、テレスコメモリを筒軸の上記端部材と孔形成部材との間で挟持し或いは挟持を解除することにより、テレスコメモリのロックおよびその解除を達成することができる。また、単一の操作部材の操作で簡便にチルトロックおよびテレスコロック並びにチルトメモリ軸およびテレスコメモリの固定を達成できる。
【００１３】
請求項４記載の発明は、請求項３において、上記テレスコメモリは、筒軸の上記端部材および孔形成部材の一方に形成される起伏部に凹凸係合することのできる起伏部を有することを特徴とするものである。本発明では、調整後のテレスコメモリを摩擦係合ではなく、凹凸係合により固定するので、調整後のテレスコメモリの位置がずれるようなことがない。
請求項５記載の発明は、請求項３又は４において、上記筒軸および被回動部材の何れか一方に設けられ、支軸の軸線と直交する方向に平行な連結軸をさらに備え、上記操作部材は連結軸の回りに回動可能であるとともに、連結軸を介して筒軸および被回動部材の何れか一方と一体回動可能であり、上記操作部材は、連結軸の回りに回動することに伴って支軸を筒軸に対して軸方向に進退させる駆動部を含むことを特徴とするものである。本発明では、チルト調整やテレスコ調整を実施する場合には、操作部材を支軸の周りに回動させ、またチルトメモリ軸およびテレスコメモリの固定や解除を実施する場合には、操作部材を連結軸の周りに回動させる。これにより、単一の操作部材の操作で各調整やロックを達成することが実質的に可能となる。
請求項６記載の発明は、請求項５において、上記支軸は、筒軸に対して軸方向に相対移動して、チルトメモリ軸およびテレスコメモリのロックに対応する第１の位置と、チルトメモリ軸およびテレスコメモリのロック解除に対応する第２の位置とに変位可能であり、筒軸に対して支軸を第２の位置に付勢する付勢手段と、この付勢手段に抗して、支軸が第１の位置にある状態で操作部材を連結軸の周りに回動不能に止定するロック手段とをさらに備えることを特徴とするものである。
【００１４】
本発明では、ロック手段によるロックを解除すると、付勢手段によって支軸が軸方向に移動されてチルトメモリ軸およびテレスコメモリのロックが自動的に解除される。一方、ロック手段によって操作部材を止定しておくと、チルトメモリ軸およびテレスコメモリのロック状態が保持される。
請求項７記載の発明は、請求項５又は６において、上記カム機構は、上記被回動部材の回動に伴って被回動部材を支軸の軸方向に移動させることにより当該被回動部材によって一方のブラケットの側板を他方のブラケットの側板に押圧するためのねじ伝動機構を含むことを特徴とするものである。ねじ伝動機構であれば、構造が簡単であると共に、回動力を軸力に変換する動作が確実である。
【００１５】
【発明の実施の形態】
本発明の好ましい実施の形態を添付図面を参照しつつ説明する。
図１は本発明の一実施の形態のメモリ機構付きチルトテレスコステアリング装置の分解斜視図であり、図２は装置の要部の斜視図であり、図３はチルト調整する際の装置の縦断面図であり、図４はチルトメモリおよびテレスコメモリのロックを解除した状態の装置の縦断面図である。
【００１６】
図１を参照して、本メモリ機構付きチルトテレスコステアリング装置（以下では、単にステアリング装置ともいう）は、上端にステアリングホイール１が固定されるステアリングシャフトを回動可能に支承するステアリングコラム２を備えている。
ステアリングコラム２の下端に固定されたブラケット３には、ステアリングコラム２の長手方向に延びる長孔４が形成されている。この長孔４には、固定ブラケット５の丸孔からなる支持孔６により支持されるチルト中心軸７が挿通される。これにより、ステアリングコラム２の下端はチルト中心軸７の回りに揺動自在に支持されている。また、チルト中心軸７を、ステアリングコラム２の長孔４内で前後に変位させることにより、テレスコピック調整が可能となっている。
【００１７】
ステアリングコラム２は、ステアリングシャフトを回動自在に支承するチューブ８と、このチューブ８に固定されたチルトブラケット９とを含む。このチルトブラケット９の両側板１０，１１には、ステアリングコラム２の長手方向に延びる横長孔１２が形成されている。図示していないが、所要時にステアリングホイールをステアリングコラム２と共に最上位置まではね上げるチルトアップばねが、固定ブラケット５とチルトブラケット９との間に介在している。
【００１８】
固定ブラケット５は車両に固定されるものであり、相対向する一対の側板１３，１４と、これら側板１３，１４の上端の中間部を互いに連結する上板１５とを備えて下方に開放する溝形をなしている。各側板１３，１４には円弧状の縦長孔１６が形成されている。１７，１８は各側板１３，１４の一部の上縁を外向きに折り曲げて形成された取付ステーであり、各取付ステー１７，１８に形成されたねじ挿通孔を挿通するボルトにより、固定ブラケット５が車両に固定されるようになっている。
【００１９】
１９は固定ブラケット５の側板１３に形成された孔に進退するロックピンであり、このロックピン１９は、チルトブラケット９の対応する側板１０に形成されたロック孔２０に係合されることにより、ステアリングホイールをチルトアップ位置（ホップアップ位置）にロックする。２１は一端２２が側板１３に固定された片持ち状の板ばねからなるロック解除ボタンである。ロック解除ボタン２１はロックピン１９を側板１３の孔に押し込む方向に弾性的に付勢している。このため、チルトアップさせると、自動的にロックピン１９がロック孔２０に係合され、ステアリングホイールをチルトアップ位置にロックすることが可能である。一方、手動でロック解除ボタン２１を操作することにより、ロックピン１９をロック孔２０から引き抜いてロックを解除させる。
【００２０】
２３は固定ブラケット５およびチルトブラケット９の各側板１０，１１；１３，１４を一体的に挿通する筒軸である。筒軸２３は、縦長孔１６に案内されて固定ブラケット５に対して上下方向の揺動のみを許容される。一方、横長孔１２は、筒軸２３に対して、チルトブラケット９を含むステアリングコラム２が前後に移動することを許容する。
図１および図２を参照して、筒軸２３の相対向する端部には、固定ブラケット５の対応する側板１３，１４の外面に沿う第１および第２の端部材２４，２５がそれぞれ設けられている。第１の端部材２４は、筒軸２３の外周面に形成されたねじ部２６にねじ結合するナット２７と、ナット２７に延設された一対のステー２８とを含み、被回動部材を構成している。すなわち、この被回動部材としての第１の端部材２４は、筒軸２３に対して、カム機構としてのねじ伝動機構Ｔを介して相対回動可能に連結されている。ねじ伝動機構Ｔは筒軸２３のねじ部２６とナット２７により構成される。
【００２１】
筒軸２３の第２の端部材２５は、筒軸２３に一体に形成された大径の環状フランジからなる。２９は第２の端部材２５に連続する、これより小径の角形フランジからなる回動規制部であり、回動規制部２９は、図３に示すように固定ブラケット５の側板１４の縦長孔１６に嵌め入れられており、筒軸２３が回動できないようにしている。したがって、第１の端部材２４がナット２７と共に筒軸２３の周りに回動されると、両端部材２４，２５間の間隔が増減する。これにより、各端部材２４，２５によって固定ブラケット５の側板１３，１４が対応するチルトブラケット９の側板１０，１１に押圧されてチルトロックおよびテレスコロックが達成されたり、或いはチルトロックおよびテレスコロックが解除されたりする。
【００２２】
図３を参照して、筒軸２３を軸方向に貫く挿通孔２３ａには、筒軸２３に対して軸方向に相対移動自在な支軸３０が同軸に挿通されて、筒軸２３の両側へ突出している。筒軸２３と支軸３０と第１の端部材２４とで軸ユニットＵが構成されている。
一方、図１、図２および図３を参照して、第１の端部材２４の一対のステー２８には、操作部材としての操作レバー３１を回動自在に支持する連結軸３２が取り付けられている。連結軸３２は、支軸３０の軸線３３と直交する方向に平行である。操作レバー３１は、レバー主体３４の一端に握り部３５を有し、他端に支軸３０を軸方向に駆動するための駆動部３６を有している。駆動部３６は支軸３０の端部に形成された周溝３７に嵌め入れられ、支軸３０の周方向に移動自在な円弧状の腕部からなる。
【００２３】
また、操作レバー３１のレバー主体３４の中間部から中間腕３８が延設されている。この中間腕３８は、第１の端部材２４の一対のステー２８間に挟持され、連結軸３２を介してステー２８に連結される。これにより、第１の端部材２４と操作レバー３１が支軸３０の軸線３３の周りに一体回動できるようになっている。また、図２および図４に示すように、連結軸３２の軸線３２ａの周りに操作レバー３１を回動させると、駆動部３６が支軸３０を筒軸２３に対して軸方向に進退させるようになっている。
【００２４】
また、図４に示すように、操作レバー３１の駆動部３６が支軸３０の周方向に対して傾斜することを許容するために、周溝３７の相対向する壁面には中央部が膨らむようにクラウニングが施されている。
また、図１、図２および図３を参照して、各ステー２８には操作レバー３１の中間腕３８を両側から挟持するための樋状の弾性押圧部３９が設けられている。中間腕３８には、樋状の弾性押圧部３９に係合する凹部６０が形成されており、係合を確実にしている。
【００２５】
第２の端部材２５に対応する支軸３０の端部には、大径部４０が形成され、この大径部４０には、チルトメモリとしてのチルトメモリ軸４１を摺動自在に挿通させる縦孔４２が形成されている。この縦孔４２は支軸３０の軸線３３の方向に沿って扁平な長孔となっており、チルトメモリ軸４１が縦孔４２内で支軸３０の軸線３３の方向に所定距離移動することを許容するようになっている。
一方、この大径部４０を含む支軸３０の端部を摺動自在に挿通させる横孔４３と、上記チルトメモリ軸４１を摺動自在に挿通させる縦孔４４とを交差させた十字孔４５を有する孔形成部材としてのスリーブ４６が設けられている。
【００２６】
チルトメモリ軸４１の下端には大径の環状フランジからなるばね受け部５３が一体に形成されており、このばね受け部５３とスリーブ４６の外周面との間に、チルトメモリ軸４１に遊嵌される圧縮コイルばねからなる付勢ばね５４が介在している。チルトメモリ軸４１は付勢ばね５４により下方へ付勢されている。したがって、チルトメモリ軸４１の固定を解除した状態では常に、チルトメモリ軸４１のばね受け部５３が固定ブラケット５の側板１４の縁部４９の上面に当接することになる。
【００２７】
図１および図２を参照して、４７はテレスコメモリであり、このテレスコメモリ４７は、固定ブラケット５の側板１４に平行な長尺板からなる主体部４８と、主体部４８の端部に設けられ固定ブラケット５の側板１４の縁部４９の端部５５（図１参照）に係合するストッパ５０とを備えている。主体部４８は、横長孔１２に平行に延びる横長孔５１を有しており、この横長孔５１を支軸３０の中間部が貫通している。図示していないが、固定ブラケット５とテレスコメモリ４７との間に介在する付勢ばねがテレスコメモリ４７をそのストッパ５０が側板１４の縁部４９の端部５５に当接する方向に付勢している。
【００２８】
図３を参照して、テレスコメモリ４７の主体部４８は、第２の端部材２５の端面２５ａとスリーブ４６の対向端面４６ａとの間に介在しており、さらに、テレスコメモリ４７の主体部４８とスリーブ４６の対向端面４６ａとの間には、例えば皿ばねからなる付勢ばね５２が介在している。
筒軸２３と支軸３０の軸方向の相対移動に伴ってテレスコメモリの主体部４８および付勢ばね５２が、第２の端部材２５の端面２５ａとスリーブ４６の対向端面４６ａの間で挟持されて、テレスコロックが達成されるようになっている。
【００２９】
具体的には、上記支軸３０は筒軸２３に対して軸方向に相対移動して、チルトメモリおよびテレスコメモリのロックに対応する図３に示す第１の位置と、チルトメモリおよびテレスコメモリのロック解除に対応する図４に示す第２の位置とに変位可能である。上記の付勢ばね５２は筒軸２３に対して支軸３０を第２の位置に付勢する働きをする。一方、第１の端部材２４のステー２８の弾性押圧部３９は、付勢ばね５２に抗して、支軸３０が第１の位置にある状態で操作レバー３１を止定するロック手段を構成する。
【００３０】
本実施の形態では、図３に示すように、弾性押圧部３９が操作レバー３１の凹部６０に係合して、操作レバー３１の連結軸３２周りの回動が規制された状態で、操作レバー３１を支軸３０の軸線３３の回りに回動すると、チルトメモリ軸４１およびテレスコメモリ４７に対するロックは維持したままで、チルト調整やテレスコ調整を実施することができる。また、ホップアップからステアリングホイールを下ろすと、チルトメモリ軸４１のばね受け部５３が固定ブラケット５の側板１４の縁部４９の上面に当接し、また、テレスコメモリ４７のストッパ５０が固定ブラケット５の側板１４の縁部４９の端部５５に当接することにより、それぞれチルトおよびテレスコのメモリ位置に復帰することになる。
【００３１】
一方、図４に示すように、操作レバー３１を連結軸３２の回りに回動して操作レバー３１を傾倒し、支軸３０と筒軸２３とを軸方向に相対移動させると、スリーブ４６によるチルトメモリ軸４１やテレスコメモリ４７に対するロックが解除されるので、操作レバー３１を支軸３０の軸線３３の回りに回動してチルト調整やテレスコ調整を実施した後、再び図３の状態に操作レバー３１を切り換えることにより、チルトメモリ軸４１やテレスコメモリ４７を新たな調整位置にてロックすることができる。
【００３２】
このように、単一の操作レバー３１の操作で、チルト調整とチルトメモリ位置調整、およびテレスコ調整とテレスコメモリ位置調整を達成することができるので、操作性が非常に良いと共に、構造も非常に簡単となる。
しかも、これを、支軸３０を軸方向に駆動する駆動部３７を設けた操作レバー３１を被回動部材としての第１の端部材２４に対して傾倒可能に連結するという簡単な構造にて実現することができる。
【００３３】
なお、上記の実施の形態では、筒軸２３の第１の端部材２４が筒軸２３に対して相対回動可能であり、第２の端部材２５は筒軸２３に一体に形成されていたが、これに限らず、第２の端部材２５を筒軸２３に対して相対回動可能とし、第１の端部材２４を筒軸２３と一体に形成するようにしても良い。この場合、第２の端部材２５が筒軸２３との間にねじ伝動機構を設けて被回動部材を構成することになる。
【００３４】
次いで、図５〜図７は本発明の他の実施の形態を示している。図５〜図７を参照して、本実施の形態が図３の実施の形態と主に異なるのは、下記の１）〜５）である。すなわち、
１）図３の実施の形態では、調整後のチルトメモリ軸４１およびテレスコメモリ４７がそれぞれ摩擦係合によりその位置を固定されるのに対して、本実施の形態では、ノッチ６７，８３；６８，８４による凹凸係合により固定され、確実な固定を実現する。
【００３５】
２）本実施の形態では、操作レバー９４を連結軸３２の回りに回動させることに伴って支軸７０を筒軸６９に対して進退させる駆動部として、板ばね１０１を用いており、この点も図３の実施の形態とは異なる。
３）図３の実施の形態では筒軸２３と支軸３０を軸方向に相対移動させるのに、ねじ伝動機構Ｔを用いていたが、本実施の形態では、一対のカム部９７，９８を含むカム機構Ｋを用いている。
【００３６】
４）本実施の形態では、図３の実施の形態のスリーブ４６に代えて、チャンネル形断面をなす孔形成部材５６を設けている。
５）図３の実施の形態では、チルトロックおよびテレスコロックを達成するために、操作レバー３１が筒軸２３と被回動部材としての第１の端部材２４とを相対回動させていたが、本実施の形態では、筒軸６９に対する軸方向移動が規制され且つ筒軸６９に対して相対回動自在な操作レバー支持体９１を、固定ブラケット５の側板１４により回動規制された第２の端部材７２に対して回動させる。
【００３７】
より具体的に説明すると、主に図６を参照して、上記の孔形成部材５６は、それぞれ縦孔５７を有する上下のフランジ５８，５９と、これらフランジ５８，５９を互いに連結する側板６１とを有し、この側板６１には横孔６２が形成されている。各フランジ５８，５９の縦孔５７はチルトメモリ軸６３を挿通させる。チルトメモリ軸６３には、チルト調整後にチルトメモリ軸６３を凹凸係合により止定するための起伏部としての横溝からなるノッチ６７が形成されている。
【００３８】
６４，６５は側板６１の左右の端部にそれぞれ上下一対で形成されたガイドフランジであり、これらのガイドフランジ６４，６５は、テレスコ調整時のテレスコメモリ６６の移動を案内する。テレスコメモリ６６には、テレスコ調整後にテレスコメモリ６６を凹凸係合により止定するための起伏部としての縦溝からなるノッチ６８が形成されている。テレスコメモリ６６の一端部には、図７に示すように、チルトブラケット９の側板１０に摺接する筒状筒起からなるストッパ８５が８６により固定されている。
【００３９】
図５および図６を参照して、６９は固定ブラケット５およびチルトブラケット９の各側板１０，１１；１３，１４を一体的に挿通する筒軸であり、この筒軸６９内を支軸７０が挿通している。この筒軸６９の相対向する端部には、固定ブラケット５の対応する側板１３，１４の外面に沿う第１および第２の端部材が７１，７２が設けられている。
第１の端部材７１は、固定ブラケット５の側板１３の外面に接する多角形形状の主体部７３と、この主体部７３から突出して、孔形成部材５６の側板６１の横孔６２およびテレスコメモリ６６の横長孔５１を貫通する突出部７４とを備える。７５は第１の端部材７１の主体部７３と突出部７４を貫いて筒軸６９を挿通させるねじ孔である。
【００４０】
突出部７４の周面に形成された周溝７６に嵌め入れられるＣ形の止め輪７７と、主体部７３の突出部７４側の端面との間に、孔形成部材５６の側板６１およびテレスコメモリ６６が配置され、止め輪７７によって側板６１およびテレスコメモリ６６の突出部７４からの脱落が防止されている。
７８は第１の端部材７１に対応して筒軸６９の端部に設けられたねじ部であり、このねじ部７８が第１の端部材７１のねじ孔７５にねじ込まれることにより、筒軸６９と第１の端部材７１の軸方向相対移動が規制されている。
【００４１】
支軸７０の孔形成部材５６に対応する端部には、円板状の大径部４０が形成され、この大径部４０の外側面には、略矩形の端板７９がねじ８０により締結固定されている。大径部４０の外側面には、縦溝８１が形成されており、大径部４０の外側面が端板７９で塞がれることにより、両者間にチルトメモリ軸５４を挿通させる図５に示すような縦孔８２が形成されるようになっている。
端板７９の背面には、チルトメモリ軸６３のノッチ６７に凹凸係合することのできる起伏部としてのノッチ８３が形成されている。また、大径部４０の背面には、テレスコメモリ６６のノッチ６８と凹凸係合することのできる起伏部としてのノッチ８４が形成されている。
【００４２】
一方、図５を参照して、筒軸６９の側板１４側の端部には、径方向に延びる環状フランジ８７が形成され、この環状フランジ８７の外周部から延びて筒軸６９と同心の円筒部８８が形成されている。円筒部８８に相対回転可能に外嵌される円筒部８９と環状フランジ８７に対向する環状フランジ９０とを有する、被回動部材としての操作レバー支持体９１が設けられている。９２は操作レバー支持体９１と円筒部８８との軸方向相対移動を規制するべく、円筒部８９の内周溝に嵌め入れられて円筒部８８の端面に当接する止め輪である。
【００４３】
また、被回動部材としての操作レバー支持体９１の外周の一部には平坦なリブ状をなす操作レバー支持部９３が突出形成されており、この操作レバー支持部９３を貫く連結軸３２によって、操作レバー９４の基端部が軸線３２ａの回りに回動できるように連結されている。また、連結軸３２を介して、操作レバー９４と操作レバー支持体９１が支軸７０の回動軸線３３の回りに一体回動できるようになっている。
【００４４】
第２の端部材７２は、固定ブラケット５の側板１４の外面に沿う円板部９５と、円板部９５から突出形成され側板１４の縦長孔１６に嵌め入れられる回動規制部９６とを有している。そして、操作レバー支持体９１の環状フランジ９０およよび第２の端部材７２の円板部９５の互いの対向面には、相係合する一対のカム部９７，９８がそれぞれ形成され、これらカム部９７，９８によりカム機構Ｋが構成されている。一対のカム部９７，９８は操作レバー支持体９１と第２の端部材７２の相対回転に伴って互いに相手方を軸方向に押す。その結果、第１および第２の端部材７１，７２がそれぞれ固定ブラケット５の側板１３，１４を対応するチルトブラケット９の側板１０，１１に押圧する。
【００４５】
操作レバー９４を回動軸線３３の回りに回動させると、回動規制されている第２の端部材７２に対して、被回動部材としての操作レバー支持体９１が回動し、これにより、カム機構Ｋが筒軸６９を支軸７０に対して軸方向に移動させ、チルトロックおよびテレスコロックが達成されたり、解除されたりする。
支軸７０の側板１４側の端部には、小径部９９が設けられ、小径部９９には、スラストワッシャ１００、駆動部としての板ばね１０１の第１の固定端１０２の貫通孔１０３、ナット１０４およびロックナット１０５が順次に嵌め入れられている。ナット１０４およびロックナット１０５は支軸７０の小径部９９の先端のねじ部に止定されている。
【００４６】
スラストワッシャ１００は、支軸７０の小径部９９の基端の段付き部１０６に当接しており、スラストワッシャ１００とナット１０４との間で板ばね１０１の第１の固定端１０２が挟持されて、板ばね１０１の第１の固定端１０２が支軸７０と軸方向に一体移動できるようになっている。板ばね１０１の第２の固定端１０７は操作レバー９４の連結軸３２から所定距離離れた部位にねじ１０８により固定されている。
【００４７】
本実施の形態によれば、操作レバー９４を軸線３２ａを中心として図５において時計回りに回動させて傾倒させると、板ばね１０１が屈曲し筒軸６９に対して支軸７０を軸方向に押すことにより、チルトメモリ軸６３およびテレスコメモリ６６を調整後の位置にロックすることができる。しかも、これらのロックは対応するノッチ６７，８３；６８，８４どうしの結合を介して強固に達成され、調整後のチルトメモリ軸６３およびテレスコメモリ６６が位置ずれすることがない。
【００４８】
そして、このように操作レバー９４を傾倒させた状態、すなわち、チルトメモリ軸６３およびテレスコメモリ６６のロックをノッチ６７，８３；６８，８４により強固に達成した状態で、操作レバー９４を支軸６９の回動軸線３３の回りに回動させると、チルトメモリ軸６３およびテレスコメモリ６６の強固なロックを維持したままで、チルト調整やテレスコ調整を行うことができる。また、ホップアップからステアリングホイールを下ろすと、チルトメモリ軸６３のばね受け部５３が固定ブラケット５の側板１３の縁部４９の上面に当接すると共に、テレスコメモリ６６のストッパ８５が側板１３の縁部４９の端部に当接し、それぞれチルトおよびテレスコのメモリ位置に復帰することになる。
【００４９】
一方、図５において、操作レバー９４を連結軸３２の軸線３２ａを中心として反時計回りに回動させると、板ばね１０１を介して支軸７０が筒軸６９に対して軸方向に移動される。これにより、端板７９のノッチ８３によるチルトメモリ軸６３に対する押圧が解除されるとともに、大径部４０のノッチ８４によるテレスコメモリ６６に対する押圧が解除され、チルトメモリ軸６３およびテレスコメモリ６６が自由に変位できる状態となる。
【００５０】
なお、本発明は上記実施の形態に限定されるものではなく、本発明の範囲で種々の変更を施すことができる。
【図面の簡単な説明】
【図１】本発明の一実施の形態としてのメモリ機構付きチルトテレスコステアリング装置の一部破断分解斜視図である。
【図２】装置の要部の斜視図である。
【図３】チルト調整する際の装置の縦断面図である。
【図４】チルトメモリおよびテレスコメモリのロックを解除した状態の装置の縦断面図である。
【図５】本発明の別の実施の形態としてのメモリ機構付きチルトテレスコステアリング装置の一部破断分解斜視図である。
【図６】支軸の軸線を含む縦断面で切断した図５の装置の要部の縦断面図である。
【図７】支軸の軸線を含む横断面で切断した図５の装置の要部の横断面図である。
【符号の説明】
２    ステアリングコラム
５    固定ブラケット
７    チルト中心軸
９    チルトブラケット
１０，１１  側板
１２  横長孔
１３，１４  側板
１６  縦長孔
２３  筒軸
２４  第１の端部材（被回動部材）
２５  第２の端部材
２５ａ  端面
２６  ねじ部
２７  ナット
Ｔ    ねじ伝動機構（カム機構）
３０  支軸
Ｕ    軸ユニット
３１  操作レバー（操作部材）
３２  連結軸
３６  駆動部
３９  弾性押圧部（ロック手段）
４１  チルトメモリ軸
４２  縦孔
４３  横孔
４４  縦孔
４５  十字孔
４６  スリーブ（孔形成部材）
４６ａ  対向端面
４７  テレスコメモリ
５０，５３  ストッパ
５２，５４  付勢ばね
５６  孔形成部材
５７  縦孔
６２  横孔
６３  チルトメモリ軸
６６  テレスコメモリ
６７，６８，８３，８４  ノッチ（起伏部）
６９  筒軸
７０  支軸
７１  第１の端部材
７２  第２の端部材
８２  縦孔
９１  操作レバー支持体（被回動部材）
９４  操作レバー
９７，９８  カム部
Ｋ    カム機構
【図１】
0003673444.tif 000002
【図２】
0003673444.tif 000003
【図３】
0003673444.tif 000004
【図４】
0003673444.tif 000005
【図５】
0003673444.tif 000006
【図６】
0003673444.tif 000007
【図７】
0003673444.tif 000008